(57)【特許請求の範囲】
【請求項１】
前後の脚枠を左右側枠により連結して成る枠体の上面に、シート状のベッドを水平状に張架する構成であって、前記枠体の前方位置と左右側部とに、所要の曲率半径をもって湾曲し、かつ枠体に対しベッドが水平状態となる低位置と、ベッドを持ち上げる高位置の間で昇降可能な作動軸を有した起立作動機構と横向作動機構とをそれぞれ配置すると共に、各作動軸に水平に延びる支持杆をそれぞれ設け、前記起立作動機構の支持杆に、ベッドの前縁を、また前記横向作動機構の支持杆に、ベッドの左右側縁をそれぞれ複数の取付部片を介して取外し可能に取り付け、さらにベッドの後縁を、巻取機構により進退可能な複数のベルトを介して枠体の後部位置に取外し可能に取付けたことを特徴とする介護用寝台
【請求項２】
ベッドが、合成樹脂テープにより格子状に編成されている請求項１記載の介護用寝台
【請求項３】
起立作動機構及び横向作動機構部が、所要の曲率半径をもって湾曲し、かつ長手方向に沿ってラックを設けて成る作動杆と、これを摺動可能に案内する案内孔を有した筐体と、この筐体の上部位置に設けられて、前記ラックと噛合するピニオン歯車と、前記筐体内に収納されて、前記歯車を回転駆動する駆動部とから成る請求項１または２記載の介護用寝台
【発明の詳細な説明】
【０００１】
【発明の属する技術分野】
本願は、主として歩行困難な非健常者を対象とした介護用寝台に関する。
【０００２】
【従来の技術】
従来、歩行困難である病人或いは障害者などの非健常者を対象とした介護用寝台は公知であり、その構成は、一般に、ベッド全体を水平状態で上下動する構成のもの、および使用者の上半身を起立されるために、ベッドの前半部を起状させる構成のものが存在する。
【０００３】
【発明が解決しようとする課題】
ところで、上記した従来構成の寝台によれば、ベッドに仰向けに臥している使用者を、機構的手段によって横向きの状態とする構成のものはなく、また、使用者を入浴させようとするときは、ベッドから一旦持ち抱えて別の場合に移動しなければならないという不都合を有するばかりでなく、使用者に大きな苦痛を与えるという欠陥があった。
【０００４】
そこで、本願は、使用者が、ベッドに仰向けに臥した状態で、上半身を起立させ、または横向きの状態にさせ、またはベッドから離れることなく、ベッドに仰向に臥した状態で入浴を可能とする介護用寝台を提供して、従来のものの欠陥を解消したものである。
【０００５】
本願は、上記した不都合を解消するために、前後の脚枠を左右側枠により連結して成る枠体の上面に、シート状のベッドを水平状に張架する構成であって、前記枠体の前方位置と左右側部とに、所要の曲率半径をもって湾曲し、かつ枠体に対しベッドが水平状態となる低位置と、ベッドを持ち上げる高位置の間で昇降可能な作動軸を有した起立作動機構と横向き作動機構とをそれぞれ配置すると共に、各作動軸に水平に延びる支持杆をそれぞれ設け、前記起立作動機構の支持杆に、ベッドの前縁を、また前記横向作動機構の支持杆に、ベッドの左右側縁をそれぞれ複数の取付部片を介して取外し可能に取り付け、さらにベッドの後縁を巻取機構により進退可能な複数のベルトを介して枠体の後部位置に取外し可能に取付けたことを特徴とするものである
【０００８】
また、上記において、ベッドが、好ましくは、合成樹脂テープにより格子状に編成されている。
【０００９】
さらにまた、起立作動機構及び横向作動機構部が所要の曲率半径をもって湾曲し、かつ長手方向に沿ってラックを設けて成る作動杆と、これを摺動可能に案内する案内孔を有した筐体と、この筐体の上部位置に設けられて、前記ラックと噛合するピニオン歯車と、前記筐体内に収納され前記歯車を回転駆動する駆動部とから成るものである。
【００１０】
【発明の実施の形態】
以下本願の実施の形態を、図面にもとづいて詳述する。図１は、総体平面図、図２は、総体側面図をそれぞれ示している。
【００１１】
本願の寝台１は、シート状に形成されたベッド２と、これを、水平状態に張架する枠体３と、枠体３の前方部位置に配置されて、前記ベッド２の前半部（頭部側）を持ち上げて使用者の上半身を起立させる起立作動機構４と、枠体３の左右側部に配置されて、ベッド２の右半部と左半部とをそれぞれ持ち上げて、使用者を左乃至右方向に横向きさせる横向作動機構５，６とから構成されている。
【００１２】
前記ベッド２は、約１０ｍｍ幅の合成樹脂製テープを約２０ｍｍピッチで格子状に構成した方形状の主部の周縁を縁取りして成り、その後縁（図１において右縁）を除く３方縁には、所要の間隔をおいて、それぞれ３本の取付部片１１が取り付けてある。
【００１３】
また、前記ベッドの後縁には、その左右位置に長尺なベルト１２が取り付けてある。
【００１４】
前記枠体３は、パイプを下向きコ字状に屈曲して成る前後２つの脚枠１３，１４と、その脚枠１３，１４の前後で対向する脚間同士を連結する側枠１５，１６とから成り、脚枠１３，１４の両脚には、図３で示すように嵌合突子１０がそれぞれ設けてあり、この嵌合突子１０に、角パイプから成る側枠１５，１６の端部を嵌合することにより、組み立て可能に構成されている。
【００１５】
前記起立作動機構４は、図４、５から明らかなように、断面楕円形で、所要の曲率半径をもって湾曲し、かつ背面に沿ってラック１７を設けると共に、末端に摺動駒１８を有した作動扞１９と、この作動扞１９の介入を許容して前記摺動駒１８と密嵌して、これを摺動案内する長い案内孔２０を前面部に有し、後面部に、後述するピニオン歯事２１を駆動するモータとベルト２２ａとプーリー２２ｂとから成る駆動部２２を配置する配置部２３を有した筐体２４と、前記筐体２３の上端部に設けられて、前記ラック１７と噛合するピニオン歯車２１とから構成されている。
【００１６】
このように構成された起立作動機構４の作動扞１９には、その上端に、水平状に延びる支持扞２５が取り付けてあり、この支持扞２５の内面には、取付部片１１を取り外し可能に係止するコ字状に屈曲した係止片２６が設けてある。
【００１７】
また前記案内孔２０の上端部には、作動扞１９と密嵌して、これと前記摺動駒１８とにより作動杆１９のガタ付きを防止する保持筒２７が設けてある。
【００１８】
前記横向作動機構５、６は、前記起立作動機構４と、作動扞１９の曲率半径が若干小さく、かつ支持扞２５に、これと平行して手摺扞２８を設けた点以外、基本的に相違するところはない。
【００１９】
前記枠体３の後方脚枠１４には、ベッド２の後縁に取り付けたベルト１２を巻取る巻取機構３０が設けてある。
【００２０】
巻取機構３０は、具体的には、図６、７で示すように、枠体３を構成する側枠１５，１６に取り外し可能に嵌合する下向きコ字状の嵌合部片３１を両端部に有し、この下端に水平状の台板３２を設けた台枠３３と、対向する嵌合部片３１，３１間に、軸受３４を介して両端が回転自在に軸承された回転軸３５と、該回転軸３５の左右位置に設けられ、前記ベルト１２，１２の末端をそれぞれ止着して、これを巻回するドラム３６、３６と、前記水平状の台板３２上に取り付けたモータ３７と、モータ３７の回転を、前記回転軸３５に伝動する伝動部３８とから構成されている。
【００２１】
また、ベッド２の後縁に取り付けたベルト１２は、後方脚枠１４の頂片の左右位置の内面に設けた回転筒３９を介して屈曲されたのち、ドラム３６に連結されている。
【００２２】
なお、図６，７の仮想線で示すように、回転軸３５、ドラム３６，３６、モータ３７および伝動部３８は、所望のカバー４０により隠蔽される。
【００２３】
また図８は、ベッド２を支持扞２５に対し、取外し可能に取付ける取付部片１１の具体的構成を示している。
即ち、この取付部片１１は、末端がベッド２の縁取片２ａに取付けられ、遊端側に、止孔１１ａを有したベルト１１ｂと、末端が、ベッド２の縁取片２ａの同一個所に取り付けられ、遊端に止金具１１ｃを有した部片１１ｄとから成る。
【００２４】
しかして、バンド１１ｂの遊端部を、支持扞２５に設けたコ字状の係止片２６に挿通し、これを折り返えして、バンド１１ｂに設けた止孔１１ａを、前記止金具１１ｅに係止することにより、ベッド２が支持扞２５に対し取り外し可能に取り付けられる。
【００２５】
また、図９は、ベルト１２を、ベッド２の縁取片２ａに対し、取り外し可能に連結する具体的構成を示している。
即ち、縁取片２ａに、止金具１２ａを備えた止片１２ｂが取り付けであり、前記止金具１２ａに、前記ドラム３１に末端が止着されたベルト１２の遊端部に設けた止孔１２ｃを係止する構成となっている。
【００２６】
従って、常態で、ベッド２の前縁と左右側縁に取り付けた取付部片１１を、起立作動桟構４および横向作動桟構５，６の支持扞２５に、それぞれ取り外し自在に連結し、さらに、ベッド２の後方縁に取り付けたベルト１２をドラム３６に巻回することにより、枠体３の上面に、ベッド２が水平状態に、かつ緊張状態に張架される。
【００２７】
従って、使用者Ｐは、ベッド２上に仰向けの状態で臥すことができる。
【００２８】
上記において、入浴時以外は、好ましくは、ベッド２の表面に、柔軟性で肌ざわりの良好なマットが敷設けられる。
【００２９】
そして、仰向けの状態で、使用者Ｐの上半身を起立させるときは、駆動部２２によりピニオン歯車２１を回転する。すると、ピニオン歯車２１とラック１７との噛合により、作動扞１９は、その曲率半径に沿って上動し、これに伴って支持扞２５に取付部片１１を介して連結されているベッドの前縁が、上方かつ後方向に向かって合理的に持ち上げられ、これによって、使用者Ｐの上半身が起立される。
【００３０】
上記において、ベッド２の起立角度が小さいときは、横向作動機構５，６の支持扞１９に、ベッド２を連結している３個の取付部片１１のうち、最も前方寄りの取付部片１１を係止片２６から取り外してフリーの状態とする。
【００３１】
また、ベッド２の起立再度を大きくするときは、横向作動機構５，６の支持扞１９にベッド２を連結している３個のバンド１１のうち、最も前方寄りと中間位置の取付部片１１を、それぞれ係止片２６から取り外してフリーの状態とする。
【００３２】
この状態を、図１０で示しており、この状態において、支持扞２５は、図４の仮想て示すように大きく上動する。
【００３３】
上記において、駆動部２２により、作動扞１９が、案内孔２０内を摺動するが、作動扞１９は、案内孔２０の上端部に設けた保持筒２７に密嵌しており、また作動扞１９の末端に、摺動駒１８を設けているので、これによって、作動扞１９のガタ付きが防止できると共に、摺動駒１８が、保持筒２７の下端に当接することにより、作動扞１９の抜脱防止がなされる。
【００３４】
また、使用者Ｐが、ベッド２上に仰向けの状態で臥している状態で、使用者Ｐを横向きの状態とするときは、起立作動機構４の支持扞２５とベット２とを連結している３個の取付部片１１うち、例は最も右寄りのバンド乃至これと中間位置の取付部片１１とを係止片２６から取り外してフリーの状態とする。
【００３５】
さらにまた、ベッド２の後縁における右寄りのベルト１２を、図９において、すでに述べたように、止金具１２ａの位置で切り離なす。
【００３６】
このようにして、ベッド２と枠体３における前方と後方の右寄り位置の連結を解いた状態で、右位置の横向作動機構５を作動する。
【００３７】
すると、図４においてすでに述べたように、ピニオン歯車２１の回転により、作動扞１９は、その曲率半径に沿って上動し、これに伴って支持扞２５に取付部片１１を介して連結されているベッドの右側部分が、上方かつ左方向に合理的に、持ち上げられる。
【００３８】
従って、図１１で示すように、使用者Ｐは左右向に横向き状態となる。
【００３９】
上記は、右側位置の横向作動機構５を作動して、使用者Ｐを左方向の横向き状態とした場合について述べたが、左側位置の横向作動機構６を作動するときは、上記した同様の要領により、使用者Ｐを右方向の横向き状態とすることができる。
【００４０】
図１２は、使用者が、ベッド２上に仰向けに臥している状態で、ベッド２から離れることなく、使用者Ｐを入浴させる場合の使用態様を示している。
【００４１】
即ち、図１、２の状態において、左右位置の横向作動機構５，６とベッド２との連結を解いて、枠体２から横向作動機構５，６を、入浴に邪魔とならない場所に移動した状態で、ベッド２の直下に、可搬可能な浴槽５０を配置し、かつ適宣の方法により湯を浴槽５０内に供給する。
【００４２】
この状態で、モータ３７を駆動して、回転軸３５と共にドラム３６を回転してベルト１２，１２を巻き戻す。すると、このベルト１２，１２より後縁が支持されているベッド２が、使用者Ｐを載置した状態で臀部から下降し、次いで身体全体が浴槽５０に入り込み、この状態を使用者Ｐを洗浄するものである。
【００４３】
しかして、使用者Ｐの身体を洗浄した使用後は、再びモータ３７の駆動により、ベルト１２をドラム３６に巻回して、ベッド２をその前後方向で緊張し、次いで枠体３の左右位置に再び横向作動機構５，６を配置して、ベッド２の側縁に設けた取付部片１１を支持扞２６に連結して、ベッド２の四周縁を枠体３に対し、水平状態に張架する。
【００４４】
上記実施例は、主として病気や障害によって歩行が困難な使用者を対象とし、使用者が仰向けに臥した状態で上半身を立起させたり、横向き状態とさせたり、或いは、ベッドから移動することなく、入浴を可能とした構成に寝台（以下第１の寝台と略称する）にいて例示したが、図１３は、上記した構成の第１の寝台を、通常の寝台としても使用し得る構成とした場合の他の実施例を示している。
【００４５】
即ち、図１３は、起立作動機構４、横向作動機構５，６、ベルト１２および巻取機構３０を取り外して、枠体３に、単にベッド２を水平状に張架した構成の寝台（第２の寝台と略称する）を示している
【００４６】
具体的には、第１の寝台における手摺杆２８を設けた支持杆２５に代えて、図１４で示すように、下向きコ字状に形成され、その両垂片の下端に、前記側枠１５，１６に嵌合可能な下向きコ字状の嵌合部片４５を設け、かつ両垂片の中間位置に支持扞４６を有した手摺部材４７を用いる。
【００４７】
また、前記手摺部材４７に設けた支持扞４６の長手方向の内面３個所には、ベッド２の左右側縁部に設けた３個の取付部片１１をそれぞれ係止するための、前記係止片２６と同一の係止片４８が設けてある。
【００４８】
さらに、枠体３を構成する前方脚枠１３の頂片の内面３個所にも、ベッド２の前方縁に設けた取付部片１１をそれぞれ係止するための係止片４８が、図４で示すように、あらかじめ設けてある
【００４９】
しかして、手摺部材４７に設けた嵌合部片４５を、側枠１５，１６の中間位置に取り付けて構成した枠体３に、ベッド２を取り付けるときは、ベッド２の前縁と左右側縁に設けた取付部片１１を、前方脚枠１３の頂部に設けた係止片４８と、左右側枠１５，１６に設けた手摺部材４７の係止片４８とにそれぞれ係止する。
【００５０】
次いで、ベッド２の後縁を、後方脚枠１４に取り付けるには、ベッド２の後縁に取り付けた止片１２ｂの止金具１２ａと、後方脚枠１３の頂部に設けた回転筒３７を利用して、これらを、図１５で示すように、別途用意した止金具４９ａを有したベルト４９により連結する。
【００５１】
このようにして、枠体３にベッド２の四周縁を緊張状態に取付けることにより、第２の寝台を構成する。
【００５２】
なお上記した実施例は、起立作動機構４および横向作動機構５，６の各支持扞２５と、ベッド２の前方縁および左右側縁とを、それぞれ３個の取付部片１１により連結し、かつ、ベッド２の後方縁の左右２個所をベルト１２により枠体３の後部位置に連結する構成について述べたが、取付部片１１の数を３個に、またベルト１２を数を２個に限定するものではなく、多くするときは、それ丈ベッド２を安定した状態で張架することができる。
【００５３】
また、上記実施例において、取付部片１１およびベルト１２の数を多くするときは、取付部片１１およびベルトを取り外す数に応じて、起立作動機構４によるベッドの持ち上げ角度および横向作動機構５、６によるベッドの持ち上げ角度を多く調整できる。
【００５４】
【発明の効果】
以上詳記したように、本願発明は、使用者がベッドに仰向けに臥している状態で、その上半身を起立させたり、或いは横向き状態にしたりすることができて、使用者の苦痛を軽減するに有効である。
【００５５】
特に、起立作動機構および横向作動機構が、所要の曲率半径をもって湾曲した作動軸を有しているので、ベッドの縁部を持ち上げる機構として極めて合理的である。
【００５６】
また、本願の発明によれば、枠体に対しベッドを安定状態に張架し得ると共に、使用者の上半身の起立角度および横向き角度の調整に便利である
【００５７】
また、本願の発明によれば、使用者が仰向に臥している状態で、ベルトを緩めることにより容易に入浴させることができて、極めて便利である
【００５８】
また、請求項２記載の発明によれば、入浴用のベッドとして有効である
【００５９】
また、請求項３記載の発明によれば、ベッドの縁部を持ち上げる機構として有効であるなど利点を有する
【図面の簡単な説明】
【図１】総体平面図
【図２】総体側面図
【図３】図２のＡ部の拡大断面部
【図４】起立作動機構の縦断側面図
【図５】起立作動機構の部分横断平面図
【図６】ベルトの巻取機構を示す内面図
【図７】ベルトの巻取機構を示す側面図
【図８】取付部片の平面図
【図９】ベルトの部分平面図
【図１０】ベッドの起立状態を示す側面図
【図１１】ベッドの横向状態を示す正面図
【図１２】入浴状態を示す側面図
【図１３】他の実施例における総体側面図
【図１４】手摺部材の側面図
【図１５】他の実施例におけるベッドの後縁と後方脚枠との連結状態を示す平面図
【符号の説明】
１  寝台
２  ベッド
３  枠体
４  起立作動機構
５、６  横向作動機構
１１  取付部片
１２  ベルト
１３，１４  脚枠
１５，１６  側枠
１９  作動扞
２０  案内孔
２１  ピニオン歯車
２２  駆動部
２３  筐体
２５  支持扞
２６  係止片
２８  手摺杆
３０  巻取機構
３５  回転軸
３６  ドラム
３７  モータ
【図１】
0003721553.tif 000002
【図２】
0003721553.tif 000003
【図３】
0003721553.tif 000004
【図４】
0003721553.tif 000005
【図５】
0003721553.tif 000006
【図６】
0003721553.tif 000007
【図７】
0003721553.tif 000008
【図８】
0003721553.tif 000009
【図９】
0003721553.tif 000010
【図１０】
0003721553.tif 000011
【図１１】
0003721553.tif 000012
【図１２】
0003721553.tif 000013
【図１３】
0003721553.tif 000014
【図１４】
0003721553.tif 000015
【図１５】
0003721553.tif 000016